(57)【要約】  システム（１０）は、バルブ（３８）と、ハンドル（２０）と、ガイド（２４）と、アーム（２２）と、チャネル（２６）と、突出部（５２）と、を備える。ハンドル（２０）はバルブ（３８）の近位にあり、バルブ（３８）を開放及び閉鎖するように構成される。ハンドル（２０）は、バルブ（３８）が開放されているとき第１位置にあり、バルブ（３８）が閉鎖されているとき第２位置にある。ガイド（２４）はハンドル（２０）に連結される。アーム（２２）はガイド（２４）に連結される。チャネル（２６）はガイド（２４）及びアーム（２２）のいずれか一方に設けられ、対向する第１端部（５４）と第２端部（５６）とを有する。突出部（５２）はガイド（２４）及びアーム（２２）のいずれか他方に設けられ、チャネル（２６）に受容されるように構成される。突出部（５２）をチャネル（２６）の第１端部（５４）の位置を越えて移動させることによりガイド（２４）とハンドル（２０）を牽引することで、ハンドル（２０）を第１位置から第２位置へ移動させる。突出部（５２）は、ハンドル（２０）が第２位置に留まった状態で、第２端部（５６）に向けて移動され得る。
2019522764.tif 000002
【特許請求の範囲】
【請求項１】
システムであって、
バルブと、
前記バルブの近位に設けられ、前記バルブを開放及び閉鎖するように構成されたハンドルと、
前記ハンドルに連結されたガイドと、
前記ガイドに連結されたアームと、
前記ガイド及び前記アームのいずれか一方に設けられたチャネルであって、対向する第１端部と第２端部とを有するチャネルと、
前記ガイド及び前記アームのいずれか他方に設けられた突出部であって、前記チャネルに受容されるように構成された突出部と、を備え、
前記ハンドルは前記バルブが開放されているとき第１ハンドル位置にあり、
前記ハンドルは前記バルブが閉鎖されているとき第２ハンドル位置にあり、 
前記突出部を前記チャネルの前記第１端部の位置を越えて移動させることにより前記ガイドと前記ハンドルとを牽引することで、前記ハンドルを前記第１ハンドル位置から前記第２ハンドル位置へ移動させ、
前記突出部は前記ハンドルが前記第２位置に留まった状態で前記チャネルの前記第２端部に向けて移動することができる、システム。
【請求項２】
対向する第１端部と第２端部とを有するケーブルをさらに備え、前記ケーブルの前記第１端部は前記アームに連結されている、請求項１に記載のシステム。
【請求項３】
前記ケーブルの前記第２端部に連結されたレバーをさらに備える、請求項２に記載のシステム。
【請求項４】
前記アームは前記ガイドの一部を挿入するために構成された通路を含む、請求項１に記載のシステム。
【請求項５】
前記第１ハンドル位置と第２ハンドル位置とは約９０度離間する、請求項１に記載のシステム。
【請求項６】
前記バルブ及び前記ハンドルのいずれか一方に設けられたスロットと、前記バルブ及び前記ハンドルのいずれか他方に設けられた戻止めであって、前記スロットに受容されるように構成された、戻止めと、をさらに備える、請求項１に記載のシステム。
【請求項７】
前記バルブと前記ハンドルとの相対的な回動運動は前記スロットと前記戻止めとにより約９０度に制限される、請求項６に記載のシステム。
【請求項８】
前記スロットは円弧状の外形を有する、請求項６に記載のシステム。
【請求項９】
前記チャネルは円弧状の外形を有する、請求項１に記載のシステム。
【請求項１０】
圧力容器をさらに備え、前記バルブは前記圧力容器に作動可能に連結されて、該バルブが開放されているとき流体が該バルブを介して前記圧力容器へ流入及び前記圧力容器から流出し、該バルブが閉鎖されているとき流体が該バルブを介して前記圧力容器へ流入及び前記圧力容器から流出しないようにする、請求項１に記載のシステム。
【請求項１１】
システムの作動方法であって、
前記システムは、
バルブと、
前記バルブを開放及び閉鎖する前記バルブの近位に設けられたハンドルと、
前記ハンドルに連結されたガイドと、
前記ガイドに連結されたアームと、
前記ガイド及び前記アームのいずれか一方に設けられたチャネルであって、対向する第１端部と第２端部とを有するチャネルと、
前記ガイド及び前記アームのいずれか他方に設けられた突出部であって、前記チャネルに受容されるように構成された突出部と、を備え、
前記ハンドルは前記バルブが開放されているとき第１ハンドル位置にあり、
前記ハンドルは前記バルブが閉鎖されているとき第２ハンドル位置にあり、
前記作動方法は、
前記突出部を前記チャネルの前記第１端部の位置を越えて移動させて前記ガイドと前記ハンドルとを牽引することで、前記ハンドルを前記第１ハンドル位置から前記第２ハンドル位置へ移動させて前記バルブを閉鎖することと、
前記ハンドルの前記第２位置と前記バルブの閉鎖状態とを維持したまま前記突出部を前記チャネルの前記第２端部に向けて移動させることと、を含む、作動方法。
【請求項１２】
前記突出部を前記チャネルの前記第１端部の位置を越えて移動させることは、対向する第１端部と第２端部とを有するケーブルを牽引することを含み、前記ケーブルの前記第１端部は前記アームに連結されている、請求項１１に記載の方法。
【請求項１３】
前記ケーブルを牽引することは、前記ケーブルの前記第２端部に連結されたレバーを第１レバー位置と第２レバー位置との間において移動させることをさらに含む、請求項１２に記載の方法。
【請求項１４】
前記レバーを前記第１レバー位置から前記第２レバー位置へ移動させることにより前記ケーブルの前記第２端部が前記アームを牽引する、請求項１３に記載の方法。
【請求項１５】
前記突出部を前記チャネルの前記第２端部に向けて移動させることは、前記レバーを前記第２レバー位置から前記第１レバー位置へ移動させることを含む、請求項１３に記載の方法。
【請求項１６】
前記ハンドルを前記第１ハンドル位置から前記第２ハンドル位置へ移動させることは、前記ハンドルを約９０度回動させることを含む、請求項１１に記載の方法。
【請求項１７】
前記ハンドルを前記第２ハンドル位置から前記第１ハンドル位置へ手動で移動させて前記バルブを開放することをさらに含む、請求項１１に記載の方法。
【発明の詳細な説明】
【発明の詳細な説明】
【０００１】
［背景］
いくつかのシステムにおいて、バルブは、圧力容器等の流体収容ユニットに連結され、該容器への流体の流入及び該容器外への流体の流出を制御する。本開示は、このようなバルブを遠隔的に閉鎖するためのシステムに関する。本開示の教示は、圧力容器におけるバルブに限定されず、他の装置やシステム等におけるバルブにも適用され得る。
［概要］
１局面において、システムは、バルブと、ハンドルと、ガイドと、チャネルと、突出部と、を備える。ハンドルは、バルブの近位に設けられ、バルブを開放及び閉鎖するように構成される。ハンドルは、バルブが開放されるとき第１ハンドル位置にあり、バルブが閉鎖されるとき第２ハンドル位置にある。ガイドはハンドルに連結される。アームはガイドに連結される。チャネルはガイド及びアームのいずれか一方に設けられ、対向する第１端部と第２端部とを有する。突出部はガイド及びアームのいずれか他方に設けられ、チャネルに受容されるように構成される。突出部をチャネルの第１端部の位置を越えて移動させることによりガイドとハンドルとを牽引することで、ハンドルを第１ハンドル位置から第２ハンドル位置へ移動させる。突出部は、ハンドルが第２位置に留まった状態で第２端部に向けて移動される。
【０００２】
別の局面において、システムを作動させる方法が開示される。システムは、バルブと、ハンドルと、ガイドと、アームと、チャネルと、突出部と、を備える。ハンドルはバルブの近位に設けられ、バルブを開放及び閉鎖する。ハンドルは、バルブが開放されているとき第１ハンドル位置にあり、バルブが閉鎖されているとき第２ハンドル位置にある。ガイドはハンドルに連結される。アームはガイドに連結される。チャネルはガイド及びアームのいずれか一方に設けられ、対向する対１端部と第２端部とを有する。突出部はガイド及びアームのいずれか他方に設けられ、チャネルに受容されるために構成される。この方法は、突出部をチャネルの第１端部の位置を越えて移動させてガイドとハンドルとを牽引することでハンドルを第１ハンドル位置から第２ハンドル位置に移動させてバルブを閉鎖することを含む。この方法は、ハンドルの第２位置とバルブの閉鎖状態とを維持しながら、突出部をチャネルの第２端部に向けて移動させることをさらに含む。
【０００３】
本開示はまた、多様な組合せにおいて、装置又は方法のいずれかの形態で以下の一欄の項目を特徴とし得る。
１．システムであって、
バルブと、
前記バルブの近位に設けられ、前記バルブを開放及び閉鎖するように構成されたハンドルと、
前記ハンドルに連結されたガイドと、
前記ガイドに連結されたアームと、
前記ガイド及び前記アームのいずれか一方に設けられたチャネルであって、対向する第１端部と第２端部とを有するチャネルと、
前記ガイド及び前記アームのいずれか他方に設けられた突出部であって、前記チャネルに受容されるように構成された突出部と、を備え、
前記ハンドルは前記バルブが開放されているとき第１ハンドル位置にあり、
前記ハンドルは前記バルブが閉鎖されているとき第２ハンドル位置にあり、 
前記突出部を前記チャネルの前記第１端部の位置を越えて移動させることにより前記ガイドと前記ハンドルとを牽引することで、前記ハンドルを前記第１ハンドル位置から前記第２ハンドル位置へ移動させ、
前記突出部は前記ハンドルが前記第２位置に留まった状態で前記チャネルの前記第２端部に向けて移動することができる、システム。
【０００４】
２．対向する第１端部と第２端部とを有するケーブルをさらに備え、前記ケーブルの前記第１端部は前記アームに連結される、項目１に記載のシステム。
３．前記ケーブルの前記第２端部に連結されたレバーをさらに備える、項目２に記載のシステム。
【０００５】
４．前記アームは前記ガイドの一部を挿入するために構成された通路を含む、項目１から項目３のいずれか１項目に記載のシステム。
５．前記第１ハンドル位置と第２ハンドル位置とは約９０度離間する、項目１から項目４のいずれか１項目に記載のシステム。
【０００６】
６．前記バルブ及び前記ハンドルのいずれか一方に設けられたスロットと、前記バルブ及び前記ハンドルのいずれか他方に設けられた戻止めであって、前記スロットに受容されるように構成された、戻止めと、をさらに備える、項目１から項目５のいずれか１項目に記載のシステム。
【０００７】
７．前記バルブと前記ハンドルとの相対的な回動運動は前記スロットと前記戻止めとにより約９０度に制限される、項目６に記載のシステム。
８．前記スロットは円弧状の外形を有する、項目６から項目７のいずれか１項目に記載のシステム。
【０００８】
９．前記チャネルは円弧状の外形を有する、項目１から項目８のいずれか１項目に記載のシステム。
１０．圧力容器をさらに備え、前記バルブは前記圧力容器に作動可能に連結されて、該バルブが開放されているとき流体が該バルブを介して前記圧力容器へ流入及び前記圧力容器から流出し、閉鎖されているとき流体が該バルブを介して前記圧力容器へ流入及び前記圧力容器から流出しないようにする、項目１から項目９のいずれか１項目に記載のシステム。
【０００９】
１１．システムの作動方法であって、
前記システムは、
バルブと、
前記バルブを開放及び閉鎖する前記バルブの近位に設けられたハンドルと、
前記ハンドルに連結されたガイドと、
前記ガイドに連結されたアームと、
前記ガイド及び前記アームのいずれか一方に設けられたチャネルであって、対向する第１端部と第２端部とを有するチャネルと、
前記ガイド及び前記アームのいずれか他方に設けられた突出部であって、前記チャネルに受容されるように構成された突出部と、を備え、
前記ハンドルは前記バルブが開放されているとき第１ハンドル位置にあり、
前記ハンドルは前記バルブが閉鎖されているとき第２ハンドル位置にあり、 
前記作動方法は、
前記突出部を前記チャネルの前記第１端部の位置を越えて移動させて前記ガイドと前記ハンドルとを牽引することで、前記ハンドルを前記第１ハンドル位置から前記第２ハンドル位置へ移動させて前記バルブを閉鎖することと、
前記ハンドルの前記第２位置と前記バルブの閉鎖状態とを維持したまま前記突出部を前記チャネルの前記第２端部に向けて移動させることと、を含む、作動方法。
【００１０】
１２．前記突出部を前記チャネルの前記第１端部の位置を越えて移動させることは、対向する第１端部と第２端部とを有するケーブルを牽引することを含み、前記ケーブルの前記第１端部は前記アームに連結される、項目１１に記載の方法。
【００１１】
１３．前記ケーブルを牽引することは、前記ケーブルの前記第２端部に連結されたレバーを第１レバー位置と第２レバー位置との間において移動させることをさらに含む、項目１２に記載の方法。
【００１２】
１４．前記レバーを前記第１レバー位置から前記第２レバー位置へ移動させることにより前記ケーブルの前記第２端部が前記アームを牽引する、項目１３に記載の方法。
１５．前記突出部を前記チャネルの前記第２端部に向けて移動させることは、前記レバーを前記第２レバー位置から前記第１レバー位置へ移動させることを含む、項目１３から項目１４のいずれか１項目に記載の方法。
【００１３】
１６．前記ハンドルを前記第１ハンドル位置から前記第２ハンドル位置へ移動させることは、前記ハンドルを約９０度回動させることを含む、項目１１から項目１５のいずれか１項目に記載の方法。
【００１４】
１７．前記ハンドルを前記第２ハンドル位置から前記第１ハンドル位置へ手動で移動させて前記バルブを開放することをさらに含む、項目１１から項目１６のいずれか１項目に記載の方法。
【００１５】
本概要は、詳細な説明において以下にさらに説明する概念を簡略化した態様で導入するために提供されている。本概要は、開示された又は請求項に記載の主題の重要な特徴又は本質的な特徴を特定することを意図するものではなく、開示された又は請求項に記載の主題の、開示された各実施形態又は各実施を説明することを意図するものでもない。具体的には、本出願において一実施形態に関連して開示されている特徴は、他の実施形態に等しく適用可能であり得る。さらに、本概要は、請求項に記載の主題の範囲を決定する一助として用いられることを意図しない。説明が進むにつれ、他の多くの新しい利点、特徴、及び関連性が明らかになるであろう。以下の図面及び説明は、例示的な実施形態をより具体的に例示するものである。
【図面の簡単な説明】
【００１６】
開示された主題を、添付された図面を参照してさらに説明する。類似する構造又は機構要素は、いくつかの図を通じて同様の参照符号により参照される。あらゆる説明が、いくつかの実施形態を通じて、同様の構造や類似する構造に適用可能であることが考慮される。
【図１】図１は、例示的なケーブル作動の遠隔的な非常時閉止システムの側面図である。
【図２】図２は、図１のシステムのバルブパネルの正面図である。
【図３】図３は、（「詳細部３」と付された）図２の囲み部分の拡大図である。
【図４】図４は、バルブに連結された、図１のシステムの例示的なバルブ制御アセンブリの正面図である。
【図５Ａ】図５Ａは、例示的なバルブ制御アセンブリであって、（図４に示す）接続されたバルブは開放され、手動ハンドルは第１位置にある、バルブ制御アセンブリの正面斜視図である。
【図５Ｂ】図５Ｂは、例示的なバルブ制御アセンブリであって、接続されたバルブは閉鎖され、手動ハンドルは第２位置にある、バルブ制御アセンブリの正面斜視図である。
【図５Ｃ】図５Ｃは、例示的なバルブ制御アセンブリであって、接続された遠隔レバーはリセットされているが、バルブは閉鎖されたままであり、手動ハンドルは第２位置に留まっている、バルブ制御アセンブリの正面斜視図である。
【００１７】
該特定された図は、開示された主題の１つ又は複数の実施形態を示すものであるが、本開示に記したように、その他の実施形態もまた考慮される。いずれの場合においても、本開示は、開示された主題を代表的な例として提示するものであり、限定的するものではない。なお、本開示の本質の範囲に含まれる他の多数の変更や実施形態が、当業者によって考案され得ることは、理解すべきところである。
【００１８】
図は、正確な縮尺率で描かれていない場合がある。とりわけ、明確にするために、いくつかの特徴は他の特徴に対して拡大されている場合がある。さらに、上（ａｂｏｖｅ）、下（ｂｅｌｏｗ）、上（ｏｖｅｒ）、下（ｕｎｄｅｒ）、上（ｔｏｐ）、下（ｂｏｔｔｏｍ）、側方、右、左等の用語が用いられる場合、これらの用語が、説明を容易に理解するためにのみ用いられることは、理解すべきところである。構造が別の方向に向けられ得ることが考慮される。
【発明を実施するための形態】
【００１９】
［詳細な説明］
本開示は、ケーブル作動の緊急遮断止システム１０について説明し、該システムは、例えば、流体源（図示せず）と圧力容器３６（図２）との間のバルブ３８（図４）を制御するためのものである。図１は、例示的なシステム１０であって、バルブパネル１２（図２）の後方にあるバルブ３８（図４）が、バルブパネル１２とレバー１４との間で延在するケーブル１６の牽引を介して、別の場所でレバー１４により遠隔的に制御され得る、システム１０を示す。バルブパネル１２の正面図は、２つの制御アセンブリ１８が図示された図２において示され、各制御アセンブリは、対応するバルブ３８（図４）を作動させる。例示的な実施形態において、制御アセンブリ１８の各々は、対応する個々のレバー１４により、遠隔的に操作される。図２から図５Ａに示すように、手動ハンドル２０が垂直に方向付けされるとき（すなわち、ハンドルの第１位置）、連結されたバルブ３８（図４）の各々は、開放構成にある。このような開放構成において、流体は、バルブ３８を介して、例えば、連結された圧力容器３６に流入及び圧力容器３６から流出し得る。図１及び図２に示すように、ハウジング３２は４つの圧力容器３６ａから３６ｄを収容するように構成され、このとき、各圧力容器３６からの流体の流出入は、バルブパネル１２に設けられた（図２及び図３に付された）複数のバルブ制御アセンブリ１８のうち１つのバルブ制御アセンブリにより作動するバルブ３８により制御された状態にある。
【００２０】
図１に示すように、システム１０の例示的実施形態において、レバー１４は、対応するケーブル１６を介して、複数のバルブ制御アセンブリ１８のうちの１つのバルブ制御アセンブリに連結される。連結された部品には、図面において、同一の文字符号が付されている。しかしながら、部品が、図示された方法とは異なる方法で連結され得ることも考えられる。囲み部２８における連結部は、各レバー１４を、周知の方法でそれぞれ対応するケーブル１６に接続する。例示的なシステム１０において、レバー１４は、圧力容器３６のバルブ３８が開放されるとき、最初の起立位置にある。このようなバルブを閉鎖するために、レバー１４の端部が、使用者により所望の方向（例えば、方向３４下方側）に押圧される。レバー１４をケーブル１６の端部６２に接続する従来の連結部（図示せず）は、使用者によりレバー１４に向けられた運動を、該レバー１４に接続されたケーブル１６において方向３０に沿って牽引力に変換する。図３に示すように、さらにこの運動により、対応するバルブ制御アセンブリ１８においてケーブル１６の端部６０が上方に牽引される。図１において、レバー１４ｂは、レバー１４ａよりも下方位置にあるものとして図示されている。しかしながら、このような描写は、図１において、２つのレバー１４ａ及び１４ｂを視覚的に区別可能にするためのみに提供される。実際に使用する際、２つのレバー１４ａ及び１４ｂを、例えば、それぞれの対応するバルブが同じ開放位置又は閉鎖位置にあるとき、同じ位置としてもよい。システム１０は、対応するケーブル１６を介して対応する２つのバルブ制御アセンブリ１８に取り付けられた２つのレバー１４を有するものとして図示されているが、数を増減したアセンブリを遠隔的な遮断システムに設け得ることが考えられる。
【００２１】
図４は、バルブ３８に連結されたバルブ制御アセンブリ１８の正面図である。図５Ａは、バルブ制御アセンブリ１８であって、バルブ３８（不可視）が開放され、手動ハンドル２０が第１位置にある、バルブ制御アセンブリ１８の正面斜視図である。図５Ｂは、バルブ制御アセンブリ１８であって、バルブ３８が閉鎖され、手動ハンドル２０が第２位置にある、バルブ制御アセンブリ１８の正面斜視図である。図５Ｃは、バルブ制御アセンブリ１８であって、連結された遠隔レバー１４が最初の起立位置にリセットされているものの、手動ハンドルが第２位置に留まっている状態でバルブ３８が閉鎖されたままである、バルブ制御アセンブリ１８の正面斜視図である。
【００２２】
図４において、バルブパネル１２は、バルブ制御アセンブリ１８により制御されるバルブ３８が可視化されるように、図示されていない。例示的な実施形態において、バルブ３８は、従来の４分の１回転式バルブであり、バルブシャフト４０を概ね９０度回すことで開放及び閉鎖される。バルブ３８は、周知の方法により、流体接続ライン（図示せず）を介して１つ又は複数の圧力容器３６に流体連結され、バルブ３８が開放されているとき、連結された圧力容器３６内への流体の連通及び圧力容器３６外への流体の連通を可能にし、バルブ３８が閉鎖されているとき、連結された圧力容器３６内への流体の連通及び圧力容器３６外への流体の連通を防止する。
【００２３】
図１に示すように、例示的な実施形態において、作業者は、対応するレバー１４を方向３４に沿って下方に押圧することで、バルブ制御アセンブリ１８に連結されたバルブ３８を遠隔的に制御し得る。このようなレバー１４への下方運動により、他方の端部６０がアーム２２に取り付けられた対応するケーブル１６が牽引される。図５Ａから図５Ｂに示すように、ケーブル１６と、ケーブル１６が取り付けられたアーム２２とが上方へ牽引されると、手動ハンドル２０は水平向き（すなわち、ハンドルの第２位置）に時計回り方向に回転し、これにより各バルブ３８は閉鎖される。したがって、バルブ制御アセンブリ１８の近位で火災が発生し、使用者が手動でハンドル２０を回してバルブ３８を閉鎖するのを妨げるような非常事態において、使用者は、ケーブル１６を介してバルブ制御アセンブリ１８に遠隔的に連結されたレバー１４を作動させることで、危険対象に近づくことなく連結されたバルブ３８を遠隔的に閉止することができる。図５Ｃに示すように、危険が過ぎ去ったあとに再びバルブ３８を開放するために、使用者は、ハンドル２０を方向５０に沿って手動で移動させて図２から図５Ａに示される垂直の向きに戻す。
【００２４】
例示的な実施形態において、ハンドル２０の端部にはガイド２４が設けられ、アーム２２と接触状態にある。例示的な実施形態におけるガイド２４は、長尺状のチャネルを有するプレートとして構成されている。図５Ｂ及び図５Ｃに示すように、アーム２２の突出部５２は、ガイド２４を移動させることなく、チャネル２６（例えば、スロット又は溝として構成される）の端部５４及び端部５６の間を移動することができる。さらに、アーム２２における通路５８により、チャネル２６を取囲むガイド２４の一部が、アーム２２へと入り込み、アーム２２に対して移動することができる。協動するこれらの要素により、遠隔にいる使用者が遠隔レバー１４をリセットすることができるため、手動ハンドル２０の位置を変更しない状態又は連結されたバルブ３８が閉鎖された状態で、ケーブル１６を介してアーム２２を下方に押圧することができる。
【００２５】
図２に図示された実施形態において、システム１０は４つの圧力容器３６ａから３６ｄを備える。この図示された実施形態において、バルブ制御アセンブリ１８ａは、周知の方法で流体ラインを介して圧力容器３６ａ及び３６ｃに連結されるバルブ３８を作動させる。同様に、バルブ制御アセンブリ１８ｂは、周知の方法で流体ラインを介して圧力容器３６ｂ及び３６ｄに連結され、圧力容器３６ｂ及び３６ｄ内への流体の連通及び圧力容器３６ｂ及び３６ｄ外への流体の連通を制御する。バルブ制御アセンブリ、バルブ、及び連結された圧力容器のその他の構成もまた利用され得る。例えば、バルブ制御アセンブリは、単一の圧力容器にのみ流体連結されたバルブを制御してもよい。その他の場合では、バルブ制御アセンブリは、３つ以上の圧力容器に連結されたバルブを制御することができる。
【００２６】
図示されたように、例示的な実施形態において、バルブ３８の開放又は閉鎖状態は、バルブシャフト４０の向きにより制御される。例示的な実施形態において、バルブシャフト４０は、ハンドル２０と、ガイド２４と、付随する締結部とにより係止され、ハンドル２０とガイド２４とによるバルブ３８の作動を許容する扁平状の側面を有する長尺状の外形を有する。図示された実施形態において、バルブ３８は、バルブシャフト４０が図４及び５Ａに示す概ね垂直の向きにあるとき、開放されている。図示された実施形態において、バルブ３８は、バルブシャフト４０が図５Ｂ及び図５Ｃに示す概ね水平の構成にあるとき、閉鎖された構成にある。図示された実施形態において、ハンドル２０はプレート４２と一体形成される。プレート４２は、ガイド２４に固定されてバルブシャフト４０により規定される回動点を中心にガイド２４と共に回転する。別の実施形態において、プレート４２とガイド２４とは、単一構造として形成され得る。プレート４２は、円弧状のチャネル又はスロット４４であって、４分の１円状に形成されるとともにバルブ３８上にある止めピン等の戻止め４６と接触し、ハンドル２０の回動運動を図４及び図５Ａに示す第１位置と図５Ｂ及び図５Ｃに示す第２位置との間においてのみ、回動方向４８及び５０に沿って許容する、チャネル又はスロット４４を備える。また、スロット４４と戻止め４６との重複した組合せを、プレート４２の対向する側に設けることもできるが、プレート４２の対向する側の大部分は、図４においてガイド２４に隠れて見えない。
【００２７】
図４及び図５Ａに示すように、バルブ３８は、バルブシャフト４０とハンドル２０とが、図示されるように実質的に垂直である第１位置に配向されるときに開放される。再び図１を参照すると、使用者が遠隔的に方向３４に沿ってレバー１４を下方に牽引すると、この動作により、ケーブル１６が方向３０に牽引される。その結果、図５Ａ及び図５Ｂにおける各ケーブル１６の端部６０の位置の比較から明白であるように、バルブ制御アセンブリ１８においてケーブル１６が上方に移動する。例示的な実施形態おいて、ケーブル１６の端部６０に連結されたアーム２２は、チャネル２６内を移動するピン５２状の突出部を備える。ケーブル１６が上方に牽引されると、アーム２２のピン５２はチャネル２６の第１端部５４に衝突するので、ガイド２４と、プレート４２と、連結されたハンドル２０と、を牽引してこれらの構造体をバルブシャフト４０回りに方向４８に沿って回動させる。この動作の結果、ハンドル２０とバルブシャフト４０とが図５Ｂに示す第２位置に移動し、そこで連結されたバルブ３８は閉鎖される。
【００２８】
図１を参照すると、システム１０をリセットために、使用者は、レバー１４を方向３４とは反対の方向に回動させることで、レバー１４を起立位置に戻してもよい。ケーブル１６は可撓性を有するが、（ケーブル１６が方向３０とは反対の方向に移動するように）レバー１４がリセットされるとき、アーム２２側のケーブル１６の端部６０を図５Ｃに示す下方位置に戻す剛性を有する。図５Ｂと図５Ｃとの比較により示されるように、ピン５２はチャネル２６内を対向する端部５６に向けて移動し、ハンドル２０と、バルブシャフト４０と、連結されたバルブ３８とを閉鎖された第２位置に維持した状態でレバー１４をリセットさせる。例えば、バルブ制御アセンブリ１８の近位に火災やその他の危険が残されていないことが確認されたとき、作業者がバルブ３８を再度開放することを所望であれば、作業者は、ハンドル２０を回動方向５０に沿って手動で移動し、図５Ａに示す第１位置まで戻すことができ、これによりバルブ３８を再開放する。それゆえ、使用者はバルブ３８を直接的（すなわち、ハンドル２０を回すことにより手動で）又は遠隔的に（すなわち、ケーブル作動のシステム１０のレバー１４を操作することで）閉鎖してもよい。しかしながら、バルブ３８は、ハンドル２０を図５Ｂ及び図５Ｃに示す第２位置から図２から図５Ａに示す第１位置に手動で回すことによって直接的開放することしかできない。
【００２９】
なお、使用者は、バルブ３８を開放する前に遠隔レバー１４をリセットする必要がない。むしろ、使用者は、手動ハンドル２０を、回動シャフト４０を中心として方向５０に回動させることで、バルブ制御アセンブリ１８を図５Ｂに示す構成から図５Ａに示す構成に直接変更することができる。遠隔レバー１４は、バルブ３８を再度開放する前又は後にリセットしてもよい。
【００３０】
図示された例示的な実施形態は、それぞれ、突出部５２を受容するためのチャネル又はスロット２６有するガイド２４と、突出部４６を受容するためのチャネル又はスロット４４を有するプレート４２と、を示している。しかしながら、協動するこれらの要素を、部品に逆に設け得ることが考えられる。例えば、アーム２２は、ガイド２４に設けられた突出部と協動するように構成されたスロットを備えてもよい。さらに、突出部を受容するためのチャネルがとりわけ記載されているが、部品同士の制御された相対運動を可能にする他の協動する要素もまた用いられることが考えられ、例えば、ローラーを受容するためのトラック等である。
【００３１】
以下、例示的な実施形態を非限定的に説明する。システム１０は、バルブ３８と、ハンドル２０と、ガイド２４と、アーム２２と、チャネル２６と、突出部５２と、を備える。ハンドル２０は、バルブ３８の近位に設けられ、ハンドル２０の作動により、バルブ３８は開放及び閉鎖される。ハンドル２０は、バルブ３８が開放されているとき、図２から図５Ａに示す第１ハンドル位置にある。ハンドル２０は、バルブ３８が閉鎖されているとき、図５Ｂから図５Ｃに示す第２ハンドル位置にある。ガイド２４は、例えばプレート４２を介し、ハンドル２０の端部に連結される。アーム２２は、例えば、アーム２２の突出部５２がガイド２４のチャネル２６に挿入されることで、ガイド２４に連結される。チャネル２６は、円弧状の外形を有し、ガイド２４及びアーム２６のいずれか一方に設けられる。チャネル２６は、対向する第１端部５４と第２端部５６とを有する。突出部５２は、ガイド２４及びアーム２２のいずれか他方に設けられ、チャネル２６に受容されるように構成されている。図５Ａ及び図５Ｂに示すように、突出部５２をチャネル２６の第１端部５４の位置を越えて移動ささせることで、ガイド２４とハンドル２０とがバルブシャフト４０の回動点を中心に牽引され、これにより、ハンドル２０を第１ハンドル位置から第２ハンドル位置へ移動させる。図５Ａ及び図５Ｂに示すように、第１ハンドル位置及び第２ハンドル位置は、約９０度離間している。
【００３２】
図５Ｃに示すように、突出部５２は、ハンドル２０が第２位置に留まった状態で、チャネル２６の第２端部５６に向けて移動し得る。これは、アーム２２がチャネル２６を取囲むガイド２４の一部を挿入するために構成された通路５８を備えているためである。このような運動は、概して、レバー１４を第２位置、すなわち倒伏位置から、当初の位置、すなわち起立位置に戻すときに発生し得る。バルブ３８は、方向５０に沿ってハンドル２０を第２ハンドル位置から第１ハンドル位置に手動で移動させることで開放可能である。
【００３３】
システム１０は、対向する第１端部６０と第２端部６２とを有するケーブル１６をさらに備え、ケーブル１６の第１端部６０は、アーム２２に接続される。レバー１４は、ケーブル１６の第２端部６２に接続される。システム１０を作動させる方法において、レバー１４を第１レバー位置と第２レバー位置との間で移動させることにより、ケーブル１６の第２端部が牽引され、これにより、方向３０の運動を、ケーブル１６の第１端部６０と、第１端部６０に連結されたアーム２２とに伝達する。
【００３４】
図４に示すように、スロット４４は、バルブ３８及びハンドル２０のいずれか一方に設けられ、戻止め４６は、バルブ３８及びハンドル２０のいずれか他方に設けられ、戻止め４６は、スロット４４に受容されるように構成されている。バルブ３８とハンドル２０との相対的な回動運動は、スロット４４と戻止め４６とにより、約９０度に制限される。スロット４４は、円弧状の外形を有する。
【００３５】
システム１０は、圧力容器３６をさらに備え、バルブ３８は圧力容器３６に作動可能に連結される。バルブ３８が開放されているとき、流体は、バルブ３８を介して圧力容器３６の内部に流入及び圧力容器の外部に流出する。バルブ３８が閉鎖されているとき、流体は、バルブ３８を介して圧力容器３６の内部に流入及び圧力容器３６の外部に流出しない。
【００３６】
本開示の主題をいくつかの実施形態を参照して説明してきたが、当業者は、本開示の範囲を逸脱することなく、形態及び詳細において、変更が可能であることを認識するであろう。例えば、アーム２２は、長尺状の外形を有するものとして図示されているが、本出願において、「アーム」という用語は、長尺形状でない場合であっても、実質的に同様の機能を有する構成要素を示し得る。さらに、４分の１回転式バルブ３８について説明されているが、「４分の１回転」以外の幾何関係により提供される開閉構造を有する他の種類のバルブを使用することが可能である。したがって、本開示の教示は、その他の相関関係において移動する構成要素を備えたバルブ及びハンドルに適用することが可能であると理解されるべきであり、例えば、その他の半径方向の弧状変位、直線変位、及び曲線変位等である。さらに、１つの実施形態に関する開示されたあらゆる特徴を、別の実施形態に加えてもよく、逆もまた同様である。
【図１】
2019522764.tif 000003
【図２】
2019522764.tif 000004
【図３】
2019522764.tif 000005
【図４】
2019522764.tif 000006
【図５Ａ】
2019522764.tif 000007
【図５Ｂ】
2019522764.tif 000008
【図５Ｃ】
2019522764.tif 000009
【国際調査報告】
2019522764.tif 000010
2019522764.tif 000011
2019522764.tif 000012